(57)【特許請求の範囲】
【請求項１】
地上に揺動自在に設置された主フレーム上に基板を固設し、基板の上に人工芝等のシート状物を積層してグリーンを構成し、該グリーンは、振動を与えるとグリーン上のボールが、転がり落ちるような傾斜面とし、その振動は、主フレームに取付けた起振機によってグリーンに振動を与えてグリーン上のボールを排除することのできるゴルフ練習場用振動グリーン。
【請求項２】
該グリーンの振動を与えるとグリーン上のボールが、転がり落ちるような傾斜面により、該グリーン全体を受グリーンとし、その振動グリーンの外周を斜面に形成された代部ブロックで囲繞し、該代部ブロックは、ボールの反発を抑制することの出来る請求項１記載のゴルフ練習場用振動グリーン。
【発明の詳細な説明】
【０００１】
【産業上の利用分野】
本発明はゴルフ練習場用振動グリーンに関するものである。
【０００２】
【従来の技術】
従来アプローチを目的とする練習場用目標グリーンは打席から距離の近い場所に設けられている。
その場合、円形の盛土グリーンか、これに旗をたてるか、更にホールカップに対応する位置にバスケットを設けてホールカップの代用をするとか、又は旗のみ更に円板にボールが当たると音メロディーが鳴る等種々のものがある。
【０００３】
【発明が解決しようとする課題】
従来の盛土グリーンではボールが乗ったままで、乗ったボールを排除する方法がない。  従来の発明者が提案した特公平４−３０３１４号、特公平６−１１３４４号のもののようにグリーンのポールをボール排除棒として、これを駆動装置で回動してグリーン上のゴルフボールを排除するボール排除装置をグリーンに設けてもよいが、ゴルフボールがはね返る危険があり、設置が難しい。
そこで、本発明はアプローチを目的とする目標グリーンから簡単にゴルフボールを排除することのできるゴルフ練習場用グリーンをうることを目的とするものである。
【０００４】
【課題を解決するための手段】
本発明は、以上のような目的を達成するために次のようなゴルフ練習場用振動グリーンを提供するものである。
すなわち、 地上に揺動自在に設置された主フレーム上に基板を固設し、基板の上に人工芝等のシート状物を積層してグリーンを構成し、該グリーンは、振動を与えるとグリーン上のボールが、転がり落ちるような傾斜面とし、その振動は、主フレームに取付けた起振機によってグリーンに振動を与えてグリーン上のボールを排除することのできるゴルフ練習場用振動グリーンであって、該グリーンの振動を与えるとグリーン上のボールが、転がり落ちるような傾斜面により、該グリーン全体を受グリーンとし、その振動グリーンの外周を斜面に形成された代部ブロックで囲繞し、該代部ブロックは、ボールの反発を抑制することの出来るものである。
【０００５】
【作用】
起振機によってグリーンに振動を与えてグリーン上のゴルフボールを排除できる。
【０００６】
【実施例】
以下図面に示す実施例について説明する。
図１、２、３、において（１）はアプローチを目的とする目標グリーンであって、主フレーム（２）上に木材、アルミ等で構成された根太（３）が取付られ、根太（３）の上に基板（４）が釘止め又は、ボルト締めで施設され、更にその上に発泡材等からなる緩衝材（５）、防水シート（６）、人工芝（７）を順次に積層して人工芝（７）上にグリーン面（８）を形成する。グリーン面（８）はグリーンオンしたゴルフボールがころがり落ちない角度の斜面に形成されている。
又、グリーン面の形状は円形、又は楕円、長方形等自由である。また、グリーン面は人工芝等のシート状のもので有れば良い。
グリーン面（８）にはホールカップ（９）があり、これにピン（１０）が立設されている。
主フレーム（２）にはスプリングガイド（１１）が設けられ、これがスプリング又はゴム（１２）を介してスプリングベース（１３）に取付られ、スプリングベース（１３）はコンクリート又は鋼製からなる基礎台（１４）に取付けられている。
【０００７】
主フレーム（２）には起振機（１５）が取付けられており、（１６）はそのコードを示す。グリーン面（８）の周囲には斜面に形成された発泡スチロール、発泡ウレタン、木製等からなる代部ブロック（１７）が周設されていて、ゴルフボールがころがり落ちるようになっている。このように該代部ブロックは、ボールの反発を抑制することの出来るもので作られている。
（１８）はホールカップに設けられた送球管であって、カップインしたボールはこの送球管（１８）を通じてフェアウェイに放出する。
【０００８】
本発明は以上の如く構成されているので、起振機（１５）でタイマー作動で定時間毎にグリーン面（８）を振動させるとゴルフボールはグリーン面上から代部ブロック（１７）の斜面上をころがり落ち、図示しない集球装置に集められる。グリーン面はタイマー作動で定時間毎に振動させるの他、グリーン上にゴルフボールがあるのをみはからって任意に起振機を作動させることもある。
【０００９】
なお、送球管（１８）に替え、出願人が特願平６−１７５２６８号で提案したようなボール飛出機を取付ると、ホールインボールは瞬間に飛出すので一層面白い。
ボール飛出機の１例は図８に示すようなもので、グリーンオンしたボールがカップインするとボールは案内板（２１）に案内されて、ガイドパイプ（２３）内のトラニオン（２４）上に乗る。そしてトラニオン上のボール（ａ）は図示しない光センサーで検知される。
このセンサーによって電気回路を介して図示しないカムモータを回転させる。
カムモータはカム軸（２６）を回転させ、カム軸（２６）と一体のカム（２５）を回転させる。ガイドパイプ（２３）の中にはスプリング（２９）が入っていてスプリング（２９）の上部にはトラニオン（２４）が固定され、トラニオン（２４）の両側のトラニオンピン（３０）はガイドパイプ（２４）の両側に設けた長穴（２７）に案内されて上下方向に移動できるのでカム（２５）の回転でカム（２５）の爪部がトラニオンピン（３０）を押し下げることになり、スプリング（２９）は下方に押されて次第にたわみ始める。
トラニオン（２４）が次第に押し下げられ、トラニオン（２４）が下方にくると、つまりガイド長穴（２７）の下端にくると、カム（２５）の爪部がトラニオン（２４）のピン（３０）から外れる。この時たわんでいたスプリング（２９）が一気に伸びてトラニオン（２４）を急激に押し上げる。したがってトラニオン（２４）の上に乗っているボールは上方に飛出す。
【００１０】
図８ではトラニオン（２４）の上に直接乗っているボールをはね上げるようになっているが、図９、図１０のような手段を用いるとボールのはね上げ効果を上げることができる。
すなわち、案内板（２１）にガイドパイプ（２３）を設け、このガイドパイプ（２３）の上方にリング状のボール受け（２２）を設け、このボール受け（２２）に乗ったボールを下方からトラニオン（２４）で直接叩打してはね上げるようにすると効果的にボールを飛ばすことができる。
その際、ボールはボール受け（２２）から図９の如く下方に一部（ｈ1 ）突出している方がよい。そうすると、トラニオン（２４）がボール受け（２２）に接するときはボールを（ｈ1 ）の高さ分叩くことになる。
【００１１】
さらに図９、図１０の如く、トラニオン（２４）に突起（２８）を設け、その高さ（ｈ2 ）分ボールを叩くようにすると、ボール受け（２２）から下方に突出したボールの一部（ｈ1 ）にボール受け（２２）から突出する突起（２８）の高さ（ｈ2 ）を加えた分、叩打距離が長くなってボールの飛翔距離が長くなる。突起（２８）の高さ（ｈ2 ）はトラニオン（２４）が受け（２２）に接した状態で受け（２２）から突出する高さである。
【００１２】
本発明は以上の如く、地上に揺動自在に設置された主フレーム上にグリーンを構成し、かつフレームに取付けた起振機によってグリーンに振動を与えてグリーン上のボールを排除することのできるゴルフ練習場用振動グリーンであって、タイマー作動で定時間毎にグリーンの主フレームに取付けた起振機によってグリーン面を振動させてゴルフボールをころがり落とす他、任意に起振機を作動させてもよいものである。
そしてグリーン上のゴルフボールがグリーンの振動によってころがり落ち易いようなグリーンの傾斜を設けて受グリーンとし、その振動グリーンの外周を斜面に形成された代部ブロックで囲繞してなるものである。
グリーンの好ましい実施態様は、主フレームの上に上部に向かって、根太、基板、緩衝材、防水シート、人工芝を順に積層したもので構成してグリーンに適度の緩衝性をもたせると共に防水性を与えて起振機の腐食を防止しうる目的を達成しうる。
しかしてグリーンのホールカップにボール飛出機を装置することにより興味をそそるグリーンをうる目的を達成しうる。
【００１３】
【発明の効果】
本発明によれば、地上に揺動自在に設置された主フレーム上に基板を固設し、基板の上に人工芝等のシート状物を積層してグリーンを構成し、該グリーンは、振動を与えるとグリーン上のボールが、転がり落ちるような傾斜面とし、その振動は、主フレームに取付けた起振機によってグリーンに振動を与えてグリーン上のボールを排除することのできるので、グリーンは起振機の作動によって振動し、グリーン上のゴルフボールは排除される。その際グリーン上面にはピン以外には突起物を設けないから、ゴルフボールがはね返る心配がなく安心してプレーできる。
しかして請求項２の発明によれば、該グリーンの振動を与えるとグリーン上のボールが、転がり落ちるような傾斜面により、該グリーン全体を受グリーンとし、その振動グリーンの外周を斜面に形成された代部ブロックで囲繞し、該代部ブロックは、ボールの反発を抑制することの出来るので、グリーン上からころげ落ちてくるゴルフボールを集球装置に向かって容易にころがり落すことができる。
【図面の簡単な説明】
【図１】本発明グリーンの切断面図
【図２】グリーンの切断斜面図
【図３】主フレームの構造説明図
【図４】代部ブロックの一部斜面図
【図５】本発明グリーンの平面図
【図６】同上の斜面図
【図７】同上の側面図
【図８】飛出機の説明図
【図９】図８とは異なる飛出機の動作説明図
【図１０】図９とは異なる飛出機の動作説明図
【符号の説明】
１ 目標グリーン
２ 主フレーム
３ 根太
４ 基板
５ 緩衝材
６ 防水シート
７ 人工芝
８ グリーン面
９ ホールカップ
10 ピン
11 スプリングガイド
12 スプリング又はゴム
13 スプリングベース
14 基礎台
15 起振機
16 コード
17 代部ブロック
18 送球管
【図１】
0003602878.tif 000002
【図２】
0003602878.tif 000003
【図３】
0003602878.tif 000004
【図４】
0003602878.tif 000005
【図５】
0003602878.tif 000006
【図６】
0003602878.tif 000007
【図７】
0003602878.tif 000008
【図８】
0003602878.tif 000009
【図９】
0003602878.tif 000010
【図１０】
0003602878.tif 000011